(57)【特許請求の範囲】
【請求項１】
ユーザが所持する端末装置とネットワークを介して接続される情報提供装置であって、
施設のエリア毎に、該エリアに配置された各機器の使用電力量を取得する使用電力取得手段と、
前記使用電力取得手段が前記エリア毎に取得した各機器の使用電力量を示す情報を、前記エリアを識別するエリア識別情報と対応付けて蓄積記憶する電力記憶手段と、
前記端末装置から位置確認用の信号を受信し、前記受信した位置確認用の信号に基づいて、該端末装置が位置する前記施設のエリアを判別するエリア判別手段と、
前記エリア判別手段が判別したエリアを識別するエリア識別情報と対応付けて蓄積記憶された機器の使用電力量を示す情報を前記電力記憶手段から取得し、前記取得した使用電力量を示す情報を前記端末装置に送信する情報送信手段と、
を備えることを特徴とする情報提供装置。
【請求項２】
前記電力記憶手段は、前記使用電力取得手段が前記エリア毎に取得した各機器の使用電力量を示す情報を、前記使用電力量の取得日時を表す取得日時情報とさらに対応付けて蓄積記憶し、
前記エリア判別手段が判別したエリアに配置されている機器の使用電力量を示す情報と、前記使用電力量の取得日時情報とを前記電力記憶手段から複数取得し、取得した複数の前記使用電力量を示す情報と前記取得日時情報とから該機器の使用電力量の時間的変化の傾向を分析し、前記分析した使用電力量の時間的変化の傾向に基づいて、該機器の所定時間後の使用電力量を予想する予想手段をさらに備え、
前記情報送信手段は、前記予想手段が予想した設備の使用電力量の所定時間後の予想値を示す情報を前記端末装置に送信する、
ことを特徴とする請求項１に記載の情報提供装置。
【請求項３】
前記施設のエリア毎に、該エリアに配置されている機器の運転状態を示す情報を取得する運転状態取得手段と、
前記運転状態取得手段がエリア毎に取得した機器の運転状態を示す情報を、前記運転状態の取得日時を表す取得日時情報と対応付けて蓄積記憶する運転状態記憶手段と、
前記エリア判別手段が判別したエリアに配置されている機器の運転状態を示す情報と、前記運転状態の取得日時情報とを前記運転状態記憶手段から複数取得し、取得した前記複数の運転状態を示す情報と前記取得日時情報とから該機器の運転状態の時間的変化の傾向を分析し、前記分析した機器の運転状態の時間的変化の傾向に基づいて、該機器の所定時間後の使用電力量を予想する予想手段をさらに備え、
前記情報送信手段は、前記予想手段が予想した設備の使用電力量の所定時間後の予想値を表す情報を前記端末装置に送信する、
ことを特徴とする請求項１に記載の情報提供装置。
【請求項４】
前記施設のエリア毎に、該エリアの環境を取得する環境計測手段と、
前記環境計測手段がエリア毎に取得した環境を示す情報を蓄積記憶する環境記憶手段と、をさらに備え、
前記情報送信手段は、前記エリア判別手段が判別したエリアの環境を示す情報を前記環境記憶手段から取得し、前記取得した環境を示す情報を前記端末装置に送信する、
ことを特徴とする請求項１乃至３の何れか１項に記載の情報提供装置。
【請求項５】
ユーザが所持する端末装置とネットワークを介して接続されるコンピュータを、
施設のエリア毎に、該エリアに配置された各機器の使用電力量を取得する使用電力取得手段、
前記使用電力取得手段が前記エリア毎に取得した各機器の使用電力量を示す情報を、前記エリアを識別するエリア識別情報と対応付けて蓄積記憶する電力記憶手段、
前記端末装置から位置確認用の信号を受信し、前記受信した位置確認用の信号に基づいて、該端末装置が位置する前記施設のエリアを判別するエリア判別手段、
前記エリア判別手段が判別したエリアを識別するエリア識別情報と対応付けて蓄積記憶された機器の使用電力量を示す情報を前記電力記憶手段から取得し、前記取得した使用電力量を示す情報を前記端末装置に送信する情報送信手段、
として機能させることを特徴とする情報提供プログラム。
【請求項６】
使用電力取得手段が、施設のエリア毎に、該エリアに配置された各機器の使用電力量を取得する使用電力取得ステップと、
電力記憶手段が、前記使用電力取得ステップで前記エリア毎に取得した各機器の使用電力量を示す情報を、前記エリアを識別するエリア識別情報と対応付けて電力記憶部に蓄積記憶する電力記憶ステップと、
エリア判別手段が、端末装置から位置確認用の信号を受信し、前記受信した位置確認用の信号に基づいて、該端末装置が位置する前記施設のエリアを判別するエリア判別ステップと、
情報送信手段が、前記エリア判別ステップで判別したエリアを識別するエリア識別情報と対応付けて蓄積記憶された機器の使用電力量を示す情報を前記電力記憶部から取得し、前記取得した使用電力量を示す情報を前記端末装置に送信する情報送信ステップと、を有する、
ことを特徴とする情報提供方法。
【発明の詳細な説明】
【技術分野】
【０００１】
本発明は、情報提供装置、情報提供プログラム、及び、情報提供方法に関する。
【背景技術】
【０００２】
従来より、建物内の電力・ガス・水道等のエネルギー消費状況や二酸化炭素排出量等をグラフ等で可視化する「見える化システム」と呼ばれるシステムが知られている。
【０００３】
例えば、特許文献１乃至３は、同様のシステムとして、建物（家庭）内に設置された各電気機器による電力消費の状況を、居住者が知ることができるようにしたシステムを開示している。
【先行技術文献】
【特許文献】
【０００４】
【特許文献１】特開２００２−０４００５５号公報
【特許文献２】特開２００３−３１６９２２号公報
【特許文献３】特許２００５−０７３４１５号公報
【発明の概要】
【発明が解決しようとする課題】
【０００５】
特許文献１乃至３に記載のシステムでは、ユーザの建物内における位置に関わらず、当該建物内に配置された機器のエネルギー使用量が画一的に表示されるだけであった。従って、表示内容に実空間性が乏しくリアリティーが無いため、ユーザはしばらく経つと表示される内容に新鮮みが感じられずに飽きてしまい、表示結果を有効に活用して省エネ化を実現するのには不十分であった。
【０００６】
本発明は上記実情に鑑みてなされたものであり、ユーザの位置に応じた機器の使用電力量を示す情報を提供できる情報提供装置、情報提供プログラム、及び、情報提供方法を提供することを目的とする。
【課題を解決するための手段】
【０００７】
上記目的を達成するため、本発明の第１の観点に係る情報提供装置は、
ユーザが所持する端末装置とネットワークを介して接続される情報提供装置であって、
施設のエリア毎に、該エリアに配置された各機器の使用電力量を取得する使用電力取得手段と、
前記使用電力取得手段が前記エリア毎に取得した各機器の使用電力量を示す情報を、前記エリアを識別するエリア識別情報と対応付けて蓄積記憶する電力記憶手段と、
前記端末装置から位置確認用の信号を受信し、前記受信した位置確認用の信号に基づいて、該端末装置が位置する前記施設のエリアを判別するエリア判別手段と、
前記エリア判別手段が判別したエリアを識別するエリア識別情報と対応付けて蓄積記憶された機器の使用電力量を示す情報を前記電力記憶手段から取得し、前記取得した使用電力量を示す情報を前記端末装置に送信する情報送信手段と、
を備えることを特徴とする
【０００８】
上記目的を達成するため、本発明の第２の観点に係る情報提供プログラムは、
ユーザが所持する端末装置とネットワークを介して接続されるコンピュータを、
施設のエリア毎に、該エリアに配置された各機器の使用電力量を取得する使用電力取得手段、
前記使用電力取得手段が前記エリア毎に取得した各機器の使用電力量を示す情報を、前記エリアを識別するエリア識別情報と対応付けて蓄積記憶する電力記憶手段、
前記端末装置から位置確認用の信号を受信し、前記受信した位置確認用の信号に基づいて、該端末装置が位置する前記施設のエリアを判別するエリア判別手段、
前記エリア判別手段が判別したエリアを識別するエリア識別情報と対応付けて蓄積記憶された機器の使用電力量を示す情報を前記電力記憶手段から取得し、前記取得した使用電力量を示す情報を前記端末装置に送信する情報送信手段、
として機能させることを特徴とする。
【０００９】
上記目的を達成するため、本発明の第３の観点に係る情報提供方法は、
使用電力取得手段が、施設のエリア毎に、該エリアに配置された各機器の使用電力量を取得する使用電力取得ステップと、
電力記憶手段が、前記使用電力取得ステップで前記エリア毎に取得した各機器の使用電力量を示す情報を、前記エリアを識別するエリア識別情報と対応付けて電力記憶部に蓄積記憶する電力記憶ステップと、
エリア判別手段が、端末装置から位置確認用の信号を受信し、前記受信した位置確認用の信号に基づいて、該端末装置が位置する前記施設のエリアを判別するエリア判別ステップと、
情報送信手段が、前記エリア判別ステップで判別したエリアを識別するエリア識別情報と対応付けて蓄積記憶された機器の使用電力量を示す情報を前記電力記憶部から取得し、前記取得した使用電力量を示す情報を前記端末装置に送信する情報送信ステップと、を有する、
ことを特徴とする。
【発明の効果】
【００１０】
本発明に係る情報提供装置、情報提供プログラム、及び情報提供方法によれば、ユーザの位置に応じた機器の使用電力量を示す情報を提供できる。
【図面の簡単な説明】
【００１１】
【図１】本発明の実施形態に係る情報提供装置及びその周辺の構成を示す図である。
【図２】本発明の実施形態に係る情報提供装置の機能構成を示すブロック図である。
【図３】固定情報記憶部に記憶されている情報の種類を示す図である。
【図４】環境記憶部に記憶されている情報の具体例を示す図である。
【図５】使用電力記憶部に記憶されている情報の具体例を示す図である。
【図６】運転状況記憶部に記憶されている情報の具体例を示す図である。
【図７】端末装置の構成を示すブロック図である。
【図８】現在情報提供処理を説明するためのフローチャートである。
【図９】端末装置に表示される画面の例である。
【図１０】予想情報提供処理を説明するためのフローチャートである。
【図１１】使用電力量の予想の例を示す図である。
【図１２】端末装置に表示される画面の例である。
【発明を実施するための形態】
【００１２】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１３】
本発明の実施形態に係る情報提供装置１００は、住居内の環境や使用電力量等を収集して、無線を介して、ユーザの所持する端末装置２００に提供する装置である。
【００１４】
図１に示すように、建物は、複数の部屋（エリア、空間）Ｒ１〜Ｒｎを有している。各部屋Ｒには、機器３００（エアコン、照明等）と温度や湿度などの環境を計測する環境計測センサ５００とが配置されている。情報提供装置１００は、通信線を介して、各部屋Ｒの機器３００および環境計測センサ５００と接続される。
【００１５】
また、各部屋Ｒの機器３００は、電力線を介して、電源６００から電力が供給される。この電力線上には、部屋Ｒ毎に、各機器３００の使用電力を個別に計測可能な電力計４００が配置されており、情報提供装置１００は電力線を介して電力計４００と接続される。
【００１６】
なお、情報提供装置１００は、通常モードと予想モードとの２つの動作モードを備える。通常モード時には、情報提供装置１００は、現在の建物内の環境や機器３００の使用電力量を端末装置２００に送信する。また、予想モード時には、情報提供装置１００は、今後の機器３００の使用電力量の予想値を端末装置２００に送信する。なお、通常モードと予想モードとは、ユーザ操作等により、適宜切り替え可能である。
【００１７】
続いて、情報提供装置１００の構成について説明する。
情報提供装置１００は、物理的には、ＣＰＵ（Central Processing Unit）、動作プログラムを記憶するＲＯＭ（Read Only Memory）、ワーク領域となるＲＡＭ（Random Access Memory）、記憶領域となるハードディスクドライブ、ＲＴＣ（Real Time Clock）、タイマー、および、通信インターフェース等を備えて構成されるサーバ等のコンピュータである。
【００１８】
情報提供装置１００は、機能的には、図２に示すように、固定情報記憶部１０１と、通信部１０２と、部屋検出部１０３と、環境取得部１０４と、環境記憶部１０５と、使用電力取得部１０６と、使用電力記憶部１０７と、現在情報取得部１０８と、運転状況取得部１０９と、運転状況記憶部１１０と、使用電力予想部１１１と、を備える。以下、各部について説明する。
【００１９】
なお、通信部１０２、部屋検出部１０３、環境取得部１０４、使用電力取得部１０６、現在情報取得部１０８、運転状況取得部１０９、及び、使用電力予想部１１１は、ＣＰＵがＲＯＭに格納されている動作プログラムを実行することにより機能的に実現される。また、固定情報記憶部１０１、環境記憶部１０５、使用電力記憶部１０７、及び、運転状況記憶部１１０は、ＲＡＭやハードディスクドライブに記憶されている情報やデータベースである。
【００２０】
固定情報記憶部１０１は、情報提供装置１００の各部によって参照される、建物内の各部屋Ｒ１〜Ｒｎに配置された機器３００や電力計４００や環境計測センサ５００等の設備に関する固定の情報を記憶する。図３は、固定情報記憶部１０１に記憶される情報例を示す図である。同図に示すように、固定情報記憶部１０１は、機器情報１０１１、センサ情報１０１２、電力計情報１０１３、及び、部屋情報１０１４を記憶する。以下に、固定情報記憶部１０１に記憶される情報について説明する。
【００２１】
機器情報１０１１は、例えば、建物の各部屋Ｒ１〜Ｒｎに配置された各機器３００の機種名、型番、ＩＤ（IDentification）、機器３００が設置された位置座標（部屋）等を示す情報である。
【００２２】
センサ情報１０１２は、建物の各部屋Ｒ１〜Ｒｎに配置された環境計測センサ５００の種類、計測対象、ＩＤ、環境計測センサ５００が設置された位置座標（部屋）等を示す情報である。
【００２３】
電力計情報１０１３は、建物の各部屋Ｒ１〜Ｒｎの使用電力を計測する電力計４００のＩＤ、電力計４００が設置された位置座標（部屋）等を示す情報である。
【００２４】
部屋情報１０１４は、例えば、建物の部屋数、部屋の広さ、部屋の位置（座標）、部屋が特定されるＩＤ等を示す情報である。
【００２５】
情報提供装置１００の各部は、固定情報記憶部１０１に記憶されているこれらの情報を参照することにより、部屋Ｒ１〜Ｒｎ毎の情報の取得、送信、予想を行うことが可能となる。
【００２６】
図２に戻り、通信部１０２は、無線ＬＡＮ用のインターフェースを備え、建物内のそれぞれ異なる位置に配置された複数（３以上）の基地局（アクセスポイント）が形成する無線ネットワークを介して、端末装置２００と無線通信を行う。また、通信部１０２は、通常モード時には、所定の時間間隔で、現在情報取得部１０８が取得した情報（後述するように、端末装置２００の置かれた部屋の環境を表す情報及び当該部屋で消費される電力量を表す情報）を、無線ネットワークを介して端末装置２００に送信する。また、通信部１０２は、予想モード時には、所定の時間間隔で、使用電力予想部１１１が予想した予想結果を端末装置２００に送信する。
なお、通信部１０２は、無線ネットワークを形成する各基地局とも個別に通信可能であり、各基地局が端末装置２００から受信した電波を任意のタイミングで当該基地局から取得可能である。
【００２７】
部屋検出部１０３は、端末装置２００が建物内のどの部屋Ｒ１〜Ｒｎにいるかを判別する。
例えば、部屋検出部１０３は、建物内の各基地局が端末装置２００から受信した電波信号の減衰度合いを測定し、測定した減衰度合いに基づいて、各基地局から端末装置２００までの距離を算出する。次に、部屋検出部１０３は、算出した各距離から３辺測量の手法を用いて端末装置２００が属する位置を検出する。そして、部屋検出部１０３は、部屋情報１０１４を参照して、検出した位置に対応する部屋Ｒ１〜Ｒｎを判別すればよい。
またこの方法に限らず、部屋検出部１０３は、他の方法を用いて端末装置２００が位置する部屋Ｒ１〜Ｒｎを判別してもよい。例えば、部屋検出部１０３は、各基地局が端末装置２００から受信した電波信号の到達時間の遅延を測定し、測定した到達時間の遅延に基づいて、各基地局から端末装置２００までの距離を算出する。次に、部屋検出部１０３は、算出した各距離から３辺測量の手法を用いて端末装置２００が属する位置を検出する。そして、部屋検出部１０３は、部屋情報１０１４を参照して、検出した位置に対応する部屋Ｒ１〜Ｒｎを判別してもよい。
【００２８】
環境取得部１０４は、各部屋Ｒ１〜Ｒｎの環境計測センサ５００と通信線を介して接続される。環境取得部１０４は、環境計測センサ５００が計測した各部屋Ｒ１〜Ｒｎの環境（温度、湿度等）を取得し、取得日時情報と対応付けて、所定時間毎（例えば、１時間毎）に、環境記憶部１０５に蓄積記憶する。
【００２９】
環境記憶部１０５には、図４に示すように、部屋毎の環境（温度、湿度）が、部屋番号などの識別情報と取得日時情報と対応付けられて蓄積記憶される。
【００３０】
図２に戻り、使用電力取得部１０６は、各部屋Ｒ１〜Ｒｎに配置されている電気機器３００の使用電力を個別に計測可能な電力計４００と電力線を介して接続される。使用電力取得部１０６は、電力計４００が計測した部屋毎の機器３００の使用電力を所定周期で（例えば、１分毎に）取得し、取得した使用電力を所定時間毎（例えば、１時間毎）に積算した電力量を算出する。次に、使用電力取得部１０６は、電力量算出の対象となった所定時間に含まれる日時（例えば、所定時間の開始日時又は所定時間の終了日時など）を取得日時とした後に、部屋別、機器３００別に、取得日時を表す取得日時情報と対応付けて使用電力記憶部１０７に蓄積記憶する。
【００３１】
使用電力記憶部１０７には、図５に示すように、部屋毎の機器３００の電力使用量が、部屋番号と取得日時情報と対応付けられて蓄積記憶される。
【００３２】
図２に戻り、現在情報取得部１０８は、端末装置２００が位置する部屋Ｒの部屋番号に基づいて、環境記憶部１０５から当該部屋Ｒにおける現在の環境を取得し、当該部屋番号に基づいて、使用電力記憶部１０７から当該部屋Ｒに設置されている機器３００の現在（例えば、直近１時間分）の使用電力量を取得し、取得した環境を表す情報と、使用電力量を表す情報とを通信部１０２に出力する。
【００３３】
運転状況取得部１０９は、各部屋Ｒ１〜Ｒｎの機器３００と通信線を介して接続され、各機器３００から送信される制御情報を解析して各機器３００の運転状態を取得する。その後、運転状況取得部１０９は、取得した運転状態を示す情報を取得時刻情報と対応付けて、逐次、運転状況記憶部１１０に記憶する。
【００３４】
運転状況記憶部１１０には、図６に示すように、部屋毎の機器３００の運転状況を示す情報が、部屋番号と取得日時情報と対応付けられて蓄積記憶される。
【００３５】
図２に戻り、使用電力予想部１１１は、使用電力記憶部１０７、又は運転状況記憶部１１０に記憶されている情報の履歴に基づいて、部屋検出部１０３が検出した部屋Ｒ内の機器３００で所定時間後に消費される電力量を予想する。
【００３６】
端末装置２００は、典型的には、ユーザに携帯される携帯電話やＰＤＡ（Personal Digital Assistant）等である。端末装置２００は、図７に示すように、端末制御部２０１と端末記憶部２０２と端末入力部２０３と端末表示部２０４と端末通信部２０５とを備える。
【００３７】
端末制御部２０１は、例えば、ＣＰＵ（Central Processing Unit）やＲＡＭ（Random Access Memory）、各種ドライバなどから構成され、端末装置２００の各部を制御するとともに、端末記憶部２０２に格納されている所定の動作プログラムに基づいて後述する各処理を実行する。
【００３８】
端末記憶部２０２は、例えば、ＲＯＭ（Read Only Memory）やフラッシュメモリなどといった所定の記憶装置から構成され、端末制御部２０１が実行する動作プログラム（アプリケーション）の他、各処理の実行に必要なデータや各処理の実行によって取得又は生成されたデータなどを格納する。端末装置２００による処理は、端末記憶部２０２に記憶された動作プログラムを端末制御部２０１が実行することで実現される。
【００３９】
端末入力部２０３は、ユーザからの指示を受け付けるための各種のキー、ボタン若しくはタッチパネル等を備え、端末制御部２０１への各種の指示やデータを入力する。
【００４０】
端末表示部２０４は、例えば、ドットマトリクスタイプのＬＣＤ（Liquid Crystal Display）若しくは有機ＥＬ（Electro-Luminescence）パネルとドライバ回路等を備え、各種情報を表示する。例えば、端末表示部２０４には、情報提供装置１００から提供された情報がグラフ表示される。
【００４１】
端末通信部２０５は、無線通信を行うためのインターフェース等を備え、所定のプロトコルに沿って、情報提供装置１００と無線通信する。
【００４２】
続いて、情報提供装置１００の動作について説明する。情報提供装置１００が実行する処理は、通常モード時に実施される現在情報提供処理と、予想モード時に実施される予想情報提供処理と、に大別される。まず、現在情報提供処理について、図８のフローチャートを参照して説明する。なお、前提として、情報提供装置１００の動作モードは通常モードに設定されているものとする。また、環境記憶部１０５、使用電力記憶部１０７には各部屋Ｒ１〜Ｒｎの環境および機器３００の使用電力量を示す情報がそれぞれ蓄積記憶されているものとする。
【００４３】
所定時間が経過した場合、又は、通信部１０２が情報取得の要求を端末装置２００から受信した場合（ステップＳ１０１；Ｙｅｓ）、部屋検出部１０３は、端末装置２００が建物内のどの部屋に位置しているのかを判別する（ステップＳ１０２）。
【００４４】
続いて、現在情報取得部１０８は、判別した部屋Ｒの現在の環境を示す情報とこの部屋Ｒに設置されている機器３００の現在の使用電力を示す情報とを環境記憶部１０５および使用電力記憶部１０７からそれぞれ取得する（ステップＳ１０３）。例えば、「部屋Ｒ１」に端末装置２００が位置すると判別された場合、現在情報取得部１０８は、環境記憶部１０５に記憶されている各部屋Ｒ１〜Ｒｎの環境のうち、「部屋Ｒ１」であり、且つ、最新のものを現在の環境として取得する。また、現在情報取得部１０８は、使用電力記憶部１０７に記憶されている各部屋Ｒ１〜Ｒｎの機器３００毎の使用電力量のうち、「部屋Ｒ１」であり、且つ、最新のものを現在の機器３００使用電力量として取得する。
【００４５】
続いて、現在情報取得部１０８は、取得した情報を端末装置２００にグラフ等で表示させるための現在状況表示データを作成する（ステップＳ１０４）。なお、部屋名や機器３００の種類なども表示させたい場合、現在情報取得部１０８は、固定情報記憶部１０１から、該当する部屋名や機器３００の種類を取得すればよい。
【００４６】
続いて、通信部１０２は、作成した表示データを端末装置２００に送信する（ステップＳ１０５）。
【００４７】
端末装置２００の端末通信部２０５が情報提供装置１００から現在状況表示データを受信すると、端末制御部２０１は、受信した表示データを端末表示部２０４に表示させる。図９に、端末表示部２０４に表示される画面の例を示す。この画面では、部屋Ｒ１の環境情報（室温、湿度）が上部にテキストで表示され、機器３００（エアコン、照明）の使用電力量が棒グラフで表示されている。なお、この表示例はあくまで一例であり、使用電力量を円グラフや折れ線グラフなどで表示しもよいし、また全ての情報をテキストで表示してもよい。以上で、現在情報提供処理は終了する。
【００４８】
続いて、予想情報提供処理について、図１０のフローチャートを参照して説明する。なお、前提として、情報提供装置１００の動作モードは予想モードに設定されているものとする。また、環境記憶部１０５、使用電力記憶部１０７、及び、運転状況記憶部１１０には各部屋Ｒ１〜Ｒｎの環境、機器３００の使用電力量、及び、機器３００の運転状況を示す情報がそれぞれ蓄積記憶されているものとする。
【００４９】
所定時間が経過した場合、又は、通信部１０２が情報取得の要求を端末装置２００から受信した場合（ステップＳ２０１）、部屋検出部１０３は、端末装置２００が建物内のどの部屋に位置しているのかを判別する（ステップＳ２０２）。
【００５０】
続いて、使用電力予想部１１１は、判別した部屋の部屋番号と対応付けられた当該部屋内の環境を示す情報と、当該部屋内の機器３００の使用電力量を示す情報と、当該部屋内の機器３００の運転状態を示す情報のうち、直近のものから所定期間分の情報（履歴情報）を、環境記憶部１０５と使用電力記憶部１０７と運転状況記憶部１１０とからそれぞれ取得する（ステップＳ２０３）。
【００５１】
続いて、使用電力予想部１１１は、取得した履歴情報から、ステップＳ２０２で判別した部屋内の機器３００の所定時間後（例えば、３時間後）の使用電力量を予想する（ステップＳ２０４）。
【００５２】
具体的には、使用電力予想部１１１は、取得した使用電力量の履歴から、１日の平均的な使用電力量の推移又は前日の使用電力量の推移を求め、この推移に従うように電力量は変化するものとして、所定時間後の電力量を予想すればよい。例えば、１日の使用電力量が図１１の点線に示すような推移を示すものと算出され、現在の使用電力量がＰ１で有る場合、その後の使用電力量は図中の点線に沿って推移するものと推定され、所定時間後の使用電力量はＰ２と予想される。なお、現在時刻における電力量の変化の傾きを取得した使用電力量の履歴から求め、この傾きに沿って今後の電力量は変化するものとして、所定時間後の電力量を予想してもよい。
【００５３】
また、使用電力予想部１１１は、取得した機器３００の運転状態の履歴から、１日の機器３００の運転状態の傾向（例えば、１日のうちで、主に運転される時間帯と、主に停止される時間帯等）を求める。その後、使用電力予想部１１１は、この傾向に基づいて、所定時間後の機器３００の運転状態を予想し、この予想した運転状態で機器３００を運転した際の電力量を所定時間後の電力量と予想してもよい。
【００５４】
続いて、使用電力予想部１１１は、予想結果を端末装置２００にグラフ等で表示させるための予想結果表示データを作成する（ステップＳ２０５）。なお、この際、対象となる部屋の部屋名や機器３００名なども表示させたい場合は、使用電力予想部１１１は、固定情報記憶部１０１から、該当する部屋名や機器３００名等を取得すればよい。
【００５５】
続いて、通信部１０２は、作成した予想結果表示データを端末装置２００に送信する（ステップＳ２０６）。
【００５６】
端末装置２００の端末通信部２０５が情報提供装置１００から予想結果表示データを受信すると、端末制御部２０１は、受信した予想結果表示データを端末表示部２０４に表示させる。図１２に、端末表示部２０４に表示される画面の例を示す。この画面では、機器３００（エアコン、照明）の使用電力量の現在値と３時間後の予想値が棒グラフで表示される。以上で、使用電力量予想処理は終了する。
【００５７】
このように、本発明では、建物に関する各種の情報を端末装置２００に提供する際に、端末装置２００が位置する部屋（エリア）を特定し、特定した部屋に対応する情報を選択して端末装置２００に提供する。従って、実空間性の高い情報を表示させることが可能となる。また、本発明では、特定した空間内の環境や機器３００の運転状態の履歴から機器３００の使用電力を予想して表示することもできるため、実空間性に加えて、実時間性にも優れた表示をすることも可能となる。
【００５８】
またこれらの構成によれば、情報提供装置１００は、ユーザが所持する端末装置２００から受信した位置確認用の信号と部屋番号（エリア識別情報）とに基づいて判別された部屋（エリア）内に配置された各機器３００の使用電力量を示す情報を端末装置２００に送信する。このため、ユーザの位置に応じた機器３００の使用電力量を示す情報を提供できる。よって、端末装置２００が、ユーザの位置に応じた機器３００の使用電力量を示す情報を表示すると、ユーザにとって端末装置２００の表示内容に実空間性及びリアリティーが生じる。また、ユーザが位置を移動して部屋を変えれば、情報提供装置１００が端末装置２００へ送信する情報が変化するため、端末装置２００が表示する使用電力量も変化する。このため、ユーザはしばらく経っても表示される内容に新鮮みを感じ続けるため表示内容に飽き難くなる。よって、ユーザは、端末装置２００に表示された使用電力量を有効に活用し、無駄な電力消費を抑制するので、省エネ化が実現される。
【００５９】
さらに、これらの構成によれば、判別された部屋（エリア）に配置されている機器３００の使用電力量の時間的変化の傾向に基づいて所定時間後の使用電力量を予想する。このため、所定時間後の機器３００の使用電力量を精度良く予想できる。
【００６０】
また、これらの構成によれば、判別された部屋（エリア）に配置されている機器３００の運転状態の時間的変化の傾向に基づいて所定時間後の使用電力量を予想する。このため、所定時間後の機器３００の使用電力量を精度良く予想できる。
【００６１】
さらに、これらの構成によれば、予想された使用電力量の予想値を示す情報を端末装置２００に送信するため、ユーザの位置に応じた機器３００の使用電力量の予想値を示す情報を提供できる。よって、端末装置２００が、ユーザの位置に応じた機器３００の使用電力量の予想値を示す情報を表示すると、例えば、省エネルギー化を実現するための行動をユーザが行わないといったことによりユーザの位置に応じた機器３００の使用状況が変化しなければ、使用電力量が所定時間後にどのような値となるかがユーザにとって明確になる。このため、所定時間後の使用電力量に対するユーザのリアリティーが向上する。よって、エネルギーの消費状況を分析してエネルギー使用に関して改善すべき点を発見し、その改善するための行動を具体的にとることをユーザに具体的に促すことができる。
【００６２】
これらの構成によれば、判別されたエリアの環境を示す情報を端末装置２００に送信するため、ユーザの環境を示す情報を端末装置２００に提供できる。よって、端末装置２００が、ユーザの環境を示す情報を表示すると、例えば、ユーザは、表示された環境と、当該環境を実現するために使用される使用電力量とに基づいて、使用電力を抑制するか否かを容易に判断できる。例えば、ユーザが位置する部屋の温度を所定温度下げるために使用される使用電力量の増加に対するユーザのリアリティーが向上する。このため、ユーザは、省エネのために必要な具体的な行動をとり易くなる。
【００６３】
なお、本発明は、上記実施形態に限定されず、本発明の要旨を逸脱しない範囲での種々の変更は勿論可能である。
【００６４】
例えば、情報提供装置１００が端末装置２００に提供（送信）する情報は任意である。上記実施形態では、通常モード時に、端末装置２００が位置する部屋の現在の環境と、この部屋に配置されている機器３００の現在の使用電力量とを取得し、取得したこれらの情報を表示させるための現在状況表示データを作成して端末装置２００に送信した。しかし、情報提供装置１００は、取得したこれらの情報を直接端末装置２００に送信し、端末装置２００で表示用のデータに加工して表示してもよい。
【００６５】
また、情報提供装置１００は、通常モード時に、使用電力量のみを取得して、端末装置２００に送信してもよい。また、使用電力量を電気料金や二酸化炭素の排出量に換算し、換算した情報を端末装置２００に送信してもよい。また、端末装置２００が位置する部屋の現在の環境と機器３００の使用電力量以外に、過去の所定期間分（例えば、１週間分）の当該部屋の環境を示す情報と機器３００の使用電力量を示す情報とをそれぞれ環境記憶部１０５、及び、使用電力記憶部１０７から取得して、現在の情報と併せて端末装置２００に送信してもよい。
【００６６】
また、建物の各部屋Ｒ１〜Ｒｎに、当該部屋内のみで通信可能（例えば、赤外線通信、微弱電波による通信、可視光通信）な通信親機を設置しておき、当該通信親機を介して通信端末２００からの電波を情報提供装置が受信した際に、当該通信親機に対応する部屋に通信端末２００が位置するものとしてすることで、部屋検出部１０３は部屋の検出を行ってよい。
【００６７】
また、本発明に係る情報提供装置１００と接続し、検出結果を通知する環境計測センサ５００の種類に限定はなく、温度センサ、湿度センサの他、照度センサ、赤外線センサ、二酸化炭素センサ等であってもよい。
【００６８】
また、例えば、本発明に係る情報提供装置１００の動作を規定する動作プログラムを既存のパーソナルコンピュータや情報端末機器等に適用することで、当該パーソナルコンピュータ等を本発明に係る情報提供装置１００として機能させることも可能である。
【００６９】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００７０】
１００  情報提供装置
１０１  固定情報記憶部
１０２  通信部
１０３  部屋検出部
１０４  環境取得部
１０５  環境記憶部
１０６  使用電力取得部
１０７  使用電力記憶部
１０８  現在情報取得部
１０９  運転状況取得部
１１０  運転状況記憶部
１１１  使用電力予想部
２００  端末装置
３００  機器
４００  電力計
５００  環境計測センサ
６００  電源
【図１】
0005178807.tif 000002
【図２】
0005178807.tif 000003
【図３】
0005178807.tif 000004
【図４】
0005178807.tif 000005
【図５】
0005178807.tif 000006
【図６】
0005178807.tif 000007
【図７】
0005178807.tif 000008
【図８】
0005178807.tif 000009
【図９】
0005178807.tif 000010
【図１０】
0005178807.tif 000011
【図１１】
0005178807.tif 000012
【図１２】
0005178807.tif 000013